(57)【要約】【課題】  着脱可能な外部記録媒体を必要に応じて複数の電子装置に対して使用することができる利便性の高い「外部記録媒体の認証システム」を提供する。【解決手段】  オーディオシステム１から着脱可能なハードディスク１０をＰＣにおいて認証するシステムにおいて以下の手段を用いる。ハードディスク１０がＰＣに接続されたとき、ＰＣは、ハードディスク１０の固有データに基づき当該ハードディスクに認証を与える認証制御部４８を有する。また、ＰＣにより認証されたハードディスクがオーディオシステム１に接続されたとき、オーディオシステム１は、ハードディスク１０の認証を解除するための解除設定部５６を有する。【選択図】      図３
2005235303.tif 000002
【特許請求の範囲】
【請求項１】
マスター側の電子装置から着脱可能な外部記録媒体をスレーブ側の電子装置において認証する認証システムであって、
外部記録媒体がスレーブ側の電子装置に接続されたとき、スレーブ側の電子装置は、当該外部記録媒体の認証を行う認証手段を有し、
スレーブ側の電子装置によって認証された外部記録媒体がマスター側の電子装置に接続されたとき、マスター側の電子装置は、当該外部記録媒体の認証を解除するための解除手段を有する、
外部記録媒体の認証システム。
【請求項２】
前記認証手段は、外部記録媒体が認証済みか否かを検出する認証検出部と、認証検出部により外部記録媒体が認証済みであることが検出されたとき、外部記録媒体が当該スレーブ側の電子装置によって認証されたものであるか否かを判定する認証制御部とを有する、請求項１に記載の認証システム。
【請求項３】
前記認証制御部は、外部記録媒体の固有データを参照することで認証の判定を行う、請求項２に記載の認証システム。
【請求項４】
前記認証制御部は、スレーブ側の電子装置の固有データを参照することで認証の判定を行う、請求項２に記載の認証システム。
【請求項５】
スレーブ側の電子装置は、少なくとも外部記録媒体の固有データを保持し、前記認証制御部は、接続された外部記録媒体の固有データと保持された固有データとが一致するか否かを比較する、請求項１ないし４いずれか１つに記載の認証システム。
【請求項６】
外部記録媒体は、少なくともスレーブ側の電子装置の固有データを保持し、前記認証制御部は、外部記録媒体に保持された固有データと接続されたスレーブ側の電子装置の固有データとが一致するか否かを比較する、請求項１ないし４いずれか１つに記載の認証システム。
【請求項７】
前記解除手段は、外部記録媒体に対して認証を解除すべき旨の認証解除データを設定する、請求項１に記載の認証システム。
【請求項８】
前記解除手段は、外部記録媒体が認証の有無を判別するための認証判別データを記憶しているとき、当該認証判別データについて認証解除の設定を行う、請求項７に記載の認証システム。
【請求項９】
マスター側の電子装置は、外部記録媒体の固有データに基づき当該外部記録媒体についてアクセス権が認められるか否かを判定する、請求項１ないし８いずれか１つに記載の認証システム。
【請求項１０】
マスター側の電子装置から着脱可能な外部記録媒体をスレーブ側の電子装置において認証する方法であって、
スレーブ側の電子装置に外部記録媒体が接続されたとき、外部記録媒体の固有データに基づき外部記録媒体の認証を行うステップと、
認証された外部記録媒体がマスター側の電子装置に接続されたとき、当該認証の解除を行うステップと、
を有する認証方法。
【請求項１１】
認証方法はさらに、他のスレーブ側の電子装置において認証を解除された外部記録媒体についての認証を行うステップを有する、請求項１０に記載の認証方法。
【請求項１２】
着脱可能な外部記録媒体の認証を行う機能を備えた電子装置であって、
外部記録媒体が接続されたとき、外部記録媒体に含まれる認証判別データを参照し、外部記録媒体が認証済みであるか否かを検出する認証検出手段と、
外部記録媒体が認証済みであると検出されたとき、外部記録媒体が当該電子装置によって認証されたものであるか否かを判定する判定手段と、
外部記録媒体が当該電子装置によって認証されたものであると判定された場合、外部記録媒体へのアクセスを許可し、認証されたものでないと判定された場合、外部記録媒体へのアクセスを禁止する制御手段とを有する、電子装置。
【請求項１３】
前記判定手段は、接続された外部記録媒体の固有データと電子装置に含まれる外部記録媒体の固有データとを比較することにより、外部記録媒体が当該電子装置において認証されたものであるか否かを判定する、請求項１２に記載の電子装置。
【請求項１４】
前記判定手段は、接続された外部記録媒体に含まれる電子装置の固有データと電子装置の固有データとを比較することにより、外部記録媒体が当該電子装置において認証されたものであるか否かを判定する、請求項１２に記載の電子装置。
【請求項１５】
前記判定手段は、外部記録媒体および電子装置に含まれるパスワードが一致するか否かを比較することにより、外部記録媒体が当該電子装置において認証されたものであるか否かを判定する、請求項１２に記載の電子装置。
【請求項１６】
前記制御手段は、外部記録媒体が未認証であると検出された場合、当該外部記録媒体の認証判別データを認証済みに設定する、請求項１２に記載の電子装置。
【請求項１７】
他の電子装置によって認証を受けた外部記録媒体を接続可能な電子装置であって、
外部記録媒体が接続されたとき、当該外部記録媒体の使用が認められているか否かを識別する識別手段と、
外部記録媒体の使用が認められていると識別された場合、認証を解除すべき旨の入力に応答し、外部記録媒体の認証を解除する認証解除手段とを有する、電子装置。
【請求項１８】
前記認証解除手段は、外部記録媒体に認証の有無を判別するための認証判別データが含まれているとき、当該認証判別データの認証を解除に設定する、請求項１７に記載の電子装置。
【請求項１９】
前記識別手段は、外部記録媒体の固有データと電子装置に含まれる外部記録媒体の固有データとが一致するか否かを識別する、請求項１７に記載の電子装置。
【請求項２０】
前記識別手段は、外部記録媒体に含まれる電子装置の固有データと電子装置の固有データとが一致するか否かを識別する、請求項１７に記載の電子装置。
【発明の詳細な説明】
【技術分野】
【０００１】
本発明は、マスター側の電子装置から着脱可能な外部記録媒体をスレーブ側の電子装置において認証する認証方式に関する。
【背景技術】
【０００２】
ハードディスクの大容量化および低コスト化に伴い、パーソナルコンピュータを初めとするテレビやオーディオ・ビデオ（ＡＶ）機器においてハードディスクが利用されている。ハードディスク搭載のＡＶ機器は、多くの音楽や映像データ等を記憶させることができ、かつ、記憶されたデータを編集することができるという利点を有する。
【０００３】
こうしたハードディスクは、外部記憶装置としても利用されている。例えば、特許文献１では、パーソナルコンピュータにおいて利用者が作業を中断するとき、外部記憶装置にハイバネーションファイルを退避し、利用者が作業を開始するとき、入力したパスワードと外部記憶装置のパスワードとが一致するとき、ハイバネーションファイルによって作業中断直前の状況を復旧し、不一致のとき通常の立ち上げを行う技術が開示されている。
【０００４】
また、オーディオシステムにおいて、着脱可能なポータブルハードディスクが実用化されている。ポータブルハードディスクは、オーディオシステムから取り外し可能であり、パーソナルコンピュータ等の他の電子装置に接続し、そこから音楽ファイルや映像ファイルを取り込み、再びポータブルハードディスクをオーディオシステムに接続することで、音楽ファイルや映像ファイルを再生可能としている。
【０００５】
【特許文献１】特開２００２−６９７８号
【発明の開示】
【発明が解決しようとする課題】
【０００６】
しかしながら、従来のポータブルハードディスクを搭載するオーディオシステムには次のような課題がある。図１０は、ポータブルハードディスクの認証方式を説明する図である。オーディオシステムは、動作の中枢を担うコントロールユニット（Ｃ／Ｕ）１００と、着脱可能なハードディスク（ＨＤ）１１０とを備えている。また、パーソナルコンピュータ（ＰＣ）１２０には、ハードディスク１１０を認証したり、ハードディスクを編集するための専用のソフトウエアが搭載されている。コントロールユニット１００から取り外されたハードディスク１１０がＰＣ１２０に接続されると、ＰＣ１２０においてハードディスク１１０の認証が行われる。認証が行われると、ＰＣからハードディスク１１０へのアクセスが可能となり、音楽ファイルのコピー等の編集を行うことができる。
【０００７】
ＰＣ１２０によって認証されたハードディスク１１０を、他のＰＣ１３０において使用するには、音楽ファイルの無断コピーや転用を防止するため、ハードディスク１１０の再認証が必要となる。しかし、現状の認証方式では、ハードディスク１１０の認証を解除もしくはリセットする機能が備えられておらず、ＰＣ１３０において再認証を実行する場合には、ハードディスク１１０の収録内容がすべて消去されてしまう。つまり、現状の認証方式では、ハードディスクが１台のパーソナルコンピュータによって認証されてしまうと、これ以外のパーソナルコンピュータにおいて認証を受けることができなかった。このため、ユーザがパーソナルコンピュータを買い換えた場合、あるいは、ユーザが複数のパーソナルコンピュータを所持する場合には、認証を受けたハードディスクを実質的に使用することができず、ユーザにとって非常に不便、不都合であった。
【０００８】
本発明は、上記した従来の認証方式の課題を解決し、着脱可能な外部記録媒体を必要に応じて複数の電子装置に対して使用することができる利便性の高い外部記録装置の認証システムを提供することを目的とする。
【課題を解決するための手段】
【０００９】
本発明に係る、マスター側の電子装置から着脱可能な外部記録媒体をスレーブ側の電子装置において認証する認証システムは、以下の構成を有する。外部記録媒体がスレーブ側の電子装置に接続されたとき、スレーブ側の電子装置は、当該外部記録媒体の認証を行う認証手段を有し、スレーブ側の電子装置によって認証された外部記録媒体がマスター側の電子装置に接続されたとき、マスター側の電子装置は、当該外部記録媒体の認証を解除するための解除手段を有する。
【００１０】
さらに本発明に係る、マスター側の電子装置から着脱可能な外部記録媒体をスレーブ側の電子装置において認証する方法は、以下のステップを有する。スレーブ側の電子装置に外部記録媒体が接続されたとき、外部記録媒体の固有データに基づき外部記録媒体の認証を行うステップと、認証された外部記録媒体がマスター側の電子装置に接続されたとき、当該認証の解除を行うステップとを有する。
【００１１】
さらに本発明に係る、着脱可能な外部記録媒体の認証を行う機能を備えた電子装置は、外部記録媒体が接続されたとき、外部記録媒体に含まれる認証判別データを参照し、外部記録媒体が認証済みであるか否かを検出する認証検出手段と、外部記録媒体が認証済みであると検出されたとき、外部記録媒体が当該電子装置によって認証されたものであるか否かを判定する判定手段と、外部記録媒体が当該電子装置によって認証されたものでないと判定された場合、外部記録媒体へのアクセスを禁止し、認証されたものであると判定された場合、外部記録媒体へのアクセスを許可する制御手段とを有する。
【００１２】
さらに本発明に係る、着脱可能な外部記録媒体を備えた電子装置は、他の電子装置によって認証された外部記録媒体が接続されたとき、当該外部記録媒体の使用が認められるか否かを識別する識別手段と、外部記録媒体の使用が認められると識別された場合、認証を解除すべき旨の入力に応答して外部記録媒体の認証を解除する認証解除手段とを有する。
【発明の効果】
【００１３】
本発明によれば、スレーブ側の電子装置において一旦認証を受けた外部記録装置であっても、マスター側の電子装置において認証を解除できるようにしたので、外部記録装置を必要に応じて複数のスレーブ側の電子装置において使用することができる。このため、ユーザが複数の電子装置を所有しているときや、電子装置を買い替えたときであっても、外部記録装置の正当な使用が可能になるので、従来の認証方式と比べ、ユーザの利便性を向上することができる。
【発明を実施するための最良の形態】
【００１４】
本発明に係る着脱可能な外部記録装置の認証方式は、好ましくは、カーオーディオシステムにおいて実施され、外部記録装置としてハードディスクが用いられる。以下、図面を参照して詳細な実施例を説明する。
【実施例】
【００１５】
図１は、本発明の実施例に係るハードディスク搭載のカーオーディオシステムの構成を示すブロック図である。オーディオシステム１は、本システムに対して着脱可能なハードディスク（ＨＤ）１０、ユーザからの命令等を入力する入力部１２、ＣＤ−ＲＯＭやＤＶＤ等のディスクに対してデータの読み書きを行うための光学ピックアップ１４、ハードディスク１０や光学ピックアップ１４から読み出されたオーディオデータの出力を行うオーディオ出力部１６、ハードディスク１０や光学ピックアップから読み出されたビデオデータの出力を行うビデオ出力部１８、オーディオシステムの動作を制御するためのプログラムを格納するプログラムメモリ２０、データを一時的に保持するデータメモリ２２、プログラムメモリ２０のプログラムに従い各部を制御するＣＰＵ２４、各部を接続するバス２６とを含んで構成される。
【００１６】
オーディオ出力部１６は、読み出されたディジタルオーディオデータのデコード等を行い、スピーカを介して音声出力を行う。ビデオ出力部１８は、読み出されたディジタルビデオデータのデコード等を行い、ディスプレイを介して映像出力を行う。
【００１７】
本実施例のオーディオシステム１において、ハードディスク１０は、光学ピックアップ１２から読み出されたオーディオデータやビデオデータを記憶することが可能であるとともに、さらには、ハードディスク１０をパーソナルコンピュータ等の他の電子装置に接続し、そこからオーディオデータやビデオデータを取り込むことが可能である。しかしながら、ハードディスク１０を不特定多数の電子装置に対して何ら制限のない環境下で使用を認めると、音楽ファイルや映像ファイルが無断でコピーされるといった著作権保護の観点から望ましくない事態が生じるおそれがある。このため、ハードディスク１０を他の電子装置において使用する場合には一定の認証システムが必要となる。
【００１８】
図２は、第１の実施例におけるハードディスクの認証システムの概要を説明する図である。ハードディスク１０は、マスター側の電子装置３０と一対一の関係にあり、認証を受けた場合を除き、マスター側の電子装置３０以外においてハードディスク１０を使用することはできない。
【００１９】
スレーブ側の電子装置４０は、マスター側の電子装置３０から取り外されたハードディスク１０が接続されたとき、当該ハードディスク１０を認証し、それを使用する。スレーブ側の電子装置４０によって与えることができるハードディスクの認証は１つであり、言い換えれば、１台のハードディスク１０に認証を与えた後は、他のハードディスクに対して認証を与えることはできない。ハードディスクが未認証のとき、あるいはハードディスクを認証することができないとき、ハードディスクの一切の使用が禁止される。すなわち、ハードディスク１０の内容の閲覧や編集等の処理を行うことができない。スレーブ側の電子装置４０には、ハードディスクを認証するためのソフトウエアが予めインストールされ、当該ソフトウエアにより認証が実行される。
【００２０】
スレーブ側の電子装置４０によって与えられた認証は、マスター側の電子装置３０によってのみ解除することができる。このような関係から、電子装置をマスターとスレーブで区別している。認証が解除された場合、ハードディスク１０は、他のスレーブ側の電子装置４０ｎにより認証を受けることが可能となる。
【００２１】
マスター側の電子装置３０をオーディオシステム１、スレーブ側の電子装置４０をパーソナルコンピュータ（ＰＣ）としたときの認証方式を説明する。図３は、ＰＣにおける認証動作を示す機能ブロック図である。ＰＣの認証機能は、ハードディスク１０が認証を既に受けているのか否か（認証の有無）を検出する認証検出部４２、ハードディスクの認証に必要なデータを保持する認証データ保持部４４、認証検出部４２からの検出データと認証データ保持部４６からの認証データとを比較する比較部４６、比較結果に基づき読み書き（Ｒ／Ｗ）制御部５０と認証データ保持部４４とを制御する認証制御部４８、ハードディスク１０をアクセスしデータの読み書きを行う読み書き制御部５０を含んでいる。
【００２２】
次にハードディスクの認証動作を図４のフローチャートを参照して説明する。ＰＣにハードディスク１０が接続されると（ステップＳ１０１）、認証検出部４２は、ハードディスク１０が認証済みであるか否かを検出する（ステップＳ１０２）。好ましくは、ハードディスク１０には、図５（ａ）に示すように、認証の有無を判別するための認証判別データ１０ａ（例えば「１」が認証済み、「０」が未認証）と、ハードディスクに固有のデータ（例えば、シリアル番号）１０ｂとが記憶されており、認証検出部４２はこれらのデータの読取りを行う。
【００２３】
次に、比較部４６は、認証検出部４２から得られた検出結果に基づきハードディスク１０が認証済みである場合には（ステップＳ１０３）、その検出された固有データ１０ｂと認証データ保持部４４に保持された認証データとを比較する（ステップＳ１０４）。認証データ保持部４４は、図５（ｂ）に示すように、認証を許可したか否かを判別する認証許可データ４４ａと、それに対応する固有データ４４ｂを保持している。認証許可データが「１」のとき、ＰＣにおいて既に１台のハードディスクに対して認証が許可されており、「０」のとき、ＰＣにおいて未だハードディスクの認証が許可されていないことを示す。認証が許可されている場合には、許可したハードディスクの固有データ（例えば、シリアル番号）が記憶されている。
【００２４】
認証制御部４８は、ハードディスクのシリアル番号と認証データ保持部のシリアル番号とが一致することを示す信号を受け取ったとき、接続されたハードディスク１０が当該ＰＣにより認証したハードディスクであると判定する（ステップＳ１０６）。そして、認証制御部４８から読み書き制御部５０に対してハードディスク１０へのアクセスの許可を示す信号が出力される（ステップＳ１０７）。シリアル番号が不一致であることを示す信号を受け取った場合には、接続されたハードディスクが当該ＰＣの認証外のハードディスクであると判定し（ステップＳ１０８）、読み書き制御部５０に対してハードディスク１０へのアクセスを禁止するアクセス禁止信号を出力する（ステップＳ１０９）。
【００２５】
一方、ハードディスク１０が未認証である場合には、比較部４６から認証制御部４８に対してシリアル番号（固有データ１０ｂ）が出力される（ステップＳ１１０）。認証制御部４８は、シリアルデータを受け取ったとき、接続されたハードディスクを強制的に認証すべき１台目のハードディスクであると判定し（ステップＳ１１１）、認証データ保持部４４の認証データを、認証無し「０」から認証有り「１」に書き換えるとともに、そのシリアル番号を書き込む（ステップＳ１１２）。さらに、認証制御部４８は、読み書き制御部５０を介してハードディスク１０に対して、認証判別データ１０ａを、認証無し「０」から認証有り「１」に書き換える（ステップＳ１１３）。これによって、ハードディスク１０に対する認証が与えられたことになる。
【００２６】
図６はオーディオシステム（マスター側電子装置）における認証解除を行うための機能ブロック図である。認証解除機能は、ハードディスク１０の識別を行うハードディスク識別部５２、認証解除を示す入力をユーザから受け取る解除入力部５４、ハードディスク識別部５２からの識別データおよび解除入力に基づき認証の解除を設定する認証解除制御部５６、認証解除制御部５６からの指示に従いハードディスク１０への読み書きを制御する読み書き制御部５８を有する。
【００２７】
次に、ハードディスクの認証解除動作を図７のフローチャートを参照して説明する。オーディオシステムにハードディスク１０が接続されると（ステップＳ２０１）、ハードディスク識別部５２は、ハードディスク１０の識別を行う(ステップＳ２０２)。好ましくは、ハードディスクに固有のデータであるシリアル番号を読取ることでハードディスクの識別を行う。
【００２８】
ユーザがハードディスク１０の認証の解除を望むとき、ユーザ入力部１２を介して認証解除の指示が入力され、これが解除入力部５４に受け取られる（ステップＳ２０３）。解除設定部５６は、ハードディスク識別部５２からのシリアル番号が予め登録されたシリアル番号に一致するか否かを比較し（ステップＳ２０４）、一致する場合には、解除入力部５４からの認証解除の指示を有効と判定し（ステップＳ２０５）、読み書き制御部５８を介して認証判別データ１０ａを認証有り「１」から認証無し「０」に書き換える（ステップＳ２０６）。
【００２９】
シリアル番号が一致しない場合には、ハードディスク１０は当該オーディオシステムにおいて使用可能なハードディスクではないので、認証解除の指示は無効であると判定し（ステップＳ２０７）、解除制御部５６から読み書き制御部５８を介しての認証判別データの書き換えは行われない（ステップＳ２０８）。
【００３０】
認証解除されたハードディスク１０を新たにＰＣに接続すると、認証検出部４２によって認証判別データが認証無しであることの検出が行われ、比較部４６からハードディスク１０のシリアル番号が出力される。このため、ＰＣにおいて認証すべき１台目のハードディスクと判定され、認証データ保持部４４の固有データ４４ｂにハードディスク１０のシリアル番号が書き換えられる。
【００３１】
このように本実施例によれば、一旦認証を受けたハードディスクの認証をマスター側のオーディオシステムにおいて解除する機能を設けたので、ハードディスクを他のＰＣに接続して利用することが可能となる。このため、ユーザがＰＣを買い替えたり、複数のＰＣを所有している場合であっても、ハードディスクの認証を適宜行うことができ、利便性の向上を図ることができる。
【００３２】
次に、第２の実施例による認証方式ついて説明する。第１の実施例では、認証のためにハードディスクの固有データを用いたが、第２の実施例では、ＰＣの固有データを認証に用いる。ＰＣの固有データは、例えば、ＰＣのシリアル番号である。
【００３３】
ハードディスク１０がＰＣに接続されたとき、認証判別データに基づき認証無し（「０」のとき）を検出した場合、認証制御部４８によりＰＣのシリアル番号を認証データ保持部４４の固有データ４４ｂとハードディスク１０の固有データ１０ｂに書き込む。一方、認証有り（「１」のとき）を検出した場合、ハードディスク１０に記憶されたＰＣのシリアル番号と認証データ保持部４４のＰＣのシリアル番号とが一致するか否かを比較し、一致した場合にのみハードディスク１０へのアクセスを許可するようにする。シリアル番号が一致しないときは、認証外のハードディスクであると判定し、一切のアクセスを禁止するようにしてもよい。
【００３４】
次に、第３の実施例による認証方式を図８に示す。第３の実施例では、ハードディスク１０がＰＣ６０に接続されとき、ハードディスク１０にＰＣのシリアル番号が書き込まれていない場合には、ハードディスク１０を未認証のハードディスクであると判定し、これに当該ＰＣ６０のシリアル番号を書き込み、ハードディスク１０を認証する。ＰＣ６０以外のシリアル番号が書き込まれたハードディスク１２が接続された場合には、ハードディスク１２を認証外と判定する。
【００３５】
一方、認証を解除する場合には、オーディオシステム１において、ハードディスク１０に記憶されたＰＣのシリアル番号を消去することで認証の解除を行う。オーディオシステム１とハードディスク１０との一義的な関係は、ハードディスク１０のシリアル番号を用いる。このように、ハードディスク１０に認証のためのデータを付与するだけで、認証および認証の解除を行うようにしてもよい。但し、本実施例の場合、ＰＣ６０からのシリアル番号の書き込みがあれば、複数のハードディスクの認証が可能となるので、ＰＣ６０において、シリアル番号を認証する回数等に制限を設けるようにしてもよい。
【００３６】
第４の実施例による認証方式を図９に示す。第４の実施例では、ハードディスク１０がＰＣ７０に接続されたとき、ハードディスク１０にパスワードが書き込まれていない場合、当該ハードディスク１０を未認証のハードディスクであると判定し、これにパスワードを書き込み、ハードディスク１０を認証する。ＰＣ７０に対して異なるパスワードが書き込まれたハードディスク１２が接続された場合には、ハードディスク１２を認証外と判定する。認証を解除する場合には、オーディオシステム１において、ハードディスク１０に記憶されたパスワードを消去することで認証の解除を行う。オーディオシステム１とハードディスク１０との一義的な関係は、ハードディスク１０のシリアル番号を用いることができる。この場合にも、ＰＣ７０においてパスワードを付与する回数を制限することで、認証されるハードディスクの数を限定することができる。
【００３７】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００３８】
上記実施例では、着脱可能な記録媒体としてハードディスクを例に用いたが、これ以外にも、書き換え可能な記録媒体であれば半導体メモリや磁気記録媒体等であってもよい。
【００３９】
さらに上記実施例では、マスター側の電子装置としてオーディオシステム、スレーブ側の電子装置としてＰＣを例にしたが、これに限定されるものではなく、外部記録媒体を接続しこれを使用し得る電子装置であればよい。また、本明細書で用いる装置は、限定的に解釈されるものではなく、複数の装置が接続されたシステム等を含む広い概念である。
【産業上の利用可能性】
【００４０】
本発明に係る外部記録装置の認証方式は、ハードディスク等の記録装置を着脱可能な電子装置、例えば、パーソナルコンピュータ、オーディオまたはビデオシステム、ナビゲーションシステム、家電システム等において利用することができる。
【図面の簡単な説明】
【００４１】
【図１】本発明の実施例に係るオーディオシステムの構成を示すブロック図である。
【図２】本発明の第１の実施例に係る認証方式の概要を説明する図である。
【図３】ＰＣ（スレーブ側の電子装置）における認証機能を示すブロック図である。
【図４】第１の実施例におけるハードディスクの認証動作を説明するフローチャートである。
【図５】図５(ａ)はハードディスクに記憶される認証判別データ、図５（ｂ）は認証データ保持部の内容を説明する図である。
【図６】オーディオシステム（マスター側の電子装置）における認証解除機能を示すブロック図である。
【図７】第１の実施例におけるハードディスクの認証解除の動作を説明するフローチャートである。
【図８】第３の実施例による認証方式を説明する図である。
【図９】第４の実施例による認証方式を説明する図である。
【図１０】従来の認証方式を説明する図である。
【符号の説明】
【００４２】
１：オーディオシステム                １０：ハードディスク
３０：マスター側の電子装置            ４０：スレーブ側の電子装置
４２：認証検出部                      ４４：認証データ保持部
４６：比較部                          ４８：認証制御部
５０：読み書き制御部                  ５２：ＨＤ識別部
５４：解除入力部                      ５６：解除設定部
５８：読み書き制御部
【図１】
2005235303.tif 000003
【図２】
2005235303.tif 000004
【図３】
2005235303.tif 000005
【図４】
2005235303.tif 000006
【図５】
2005235303.tif 000007
【図６】
2005235303.tif 000008
【図７】
2005235303.tif 000009
【図８】
2005235303.tif 000010
【図９】
2005235303.tif 000011
【図１０】
2005235303.tif 000012